(57)【要約】      （修正有）【課題】釣り用具等を吊るすことができ、かつ用具の重さでウエアが着崩れしないようなアウトドアウエアを提供する。【解決手段】表面に１以上のホルダー（７）を設けた構成のインナー（１）と、そのインナー（１）の上に重ね着できるジャケット（２）からなり、ジャケット（２）には、インナー（１）の前記ホルダー（７）を外に引き出すための開閉自在なゲート（１４）を設けた。この構成で、ホルダー（７）にかかる用具の荷重をジャケット（２）に影響させないので、ジャケット（２）の着崩れがおきない。【選択図】図８
0003140523.tif 000002
【実用新案登録請求の範囲】
【請求項１】
次のインナー（１）と、そのインナー（１）の上に重ね着できるジャケット（２）からなるインナー及びジャケット。
（Ａ）；インナー（１）はその表面に１以上のホルダー（７）を設けた構成。
（Ｂ）；ジャケット（２）は、インナー（１）の前記ホルダー（７）を外に引き出すための開閉自在なゲート（１４）を設けた構成。
【請求項２】
前記インナー（１）のホルダー（７）はタモ保持用のタモホルダー（７）等であって、背面の襟ぐり部に取り付けたヒモとその先端のＤカン（８）から構成されており、着脱自在なアタッチメント構造を持ったタモ（１１）又は長さ調節機構付きタモホルダー延長具（１２）等を連結可能であることを特徴とする請求項１記載のインナー。
【請求項３】
前記ジャケット（２）のゲート（１４）は、前記インナー（１）の前記ホルダー（７）を外に引き出す位置で、開閉自在なスライドファスナー及び又はベルベットファスナー等を設けた開口部であることを特徴とする請求項１記載のジャケット。
【請求項４】
前記インナー（１）は、ハードメッシュの背面部（６）の上部に両肩に係る左右の前面ベルト部（５）を設けて、夫々の下端を長さ調節可能なヒモ（４）で幅広の平ゴム入りの腰部ベルト（３）に連結し、背面部（６）の襟ぐり部には先端にＤカン（８）を備えたテープからなるホルダー（７）を取り付けたことを特徴とした請求項１又は請求項２のいずれかに記載のインナー。
【請求項５】
次のインナー（１）と、そのインナー（１）の上に重ね着できるジャケット（２）からなる釣り用のインナー及びジャケット。
（Ａ）インナー（１）はその表面に１以上のホルダー（７）を設けたもので、
ポケット（９）を備える長さ調整自在な装着用の幅広の平ゴム入りの腰部ベルト（３）、ハードメッシュの背面部（６）、両肩に係る左右の前面ベルト部（５）と背面垂れ部（５１）を備えた肩当て部（７１）、左右の前面ベルト部（５）と腰部ベルト（３）を長さ調整自在に連結するヒモ（４）、前記背面垂れ部（５１）の左右下端と腰部ベルト（３）を長さ調整自在に連結するヒモ（４１）からなり、前記肩当て部（７１）の背面垂れ部（５１）の襟ぐり部に先端にＤカン（８）を備えたテープからなるホルダー（７）を縫着してあり、ライフジャケット風に着用して、前記Ｄカン（８）に、着脱自在なアタッチメント（連結）構造を持ったタモ（１１）又は長さ調節機構付きタモホルダー延長具（１２）等を連結し、タモ等の用具を吊るすことができる構成。
（Ｂ）ジャケット（２）は、インナー（１）の上に重ね着できるもので、フード（１５）を備え、背面の襟ぐり部の下方にインナー（１）に縫着されたホルダー（７）のＤカン（８）を引き出すゲート（１４）を備え、ゲート（１４）はスライドファスナー及び又はベルベットファスナー等を設けて開閉自在な開口部であり、ゲート（１４）の上方にはカバー（１９）を設けて被覆されている構成。
【考案の詳細な説明】
【技術分野】
【０００１】
本考案は、アウトドア用のインナー及びこのインナーに重ね着して着用するジャケットに関する。
【０００２】
特に渓流釣り等の釣り用ウエアであって、釣りで使用するタモ（網）等の用具を吊り下げるホルダー（吊下保持具）を備えたインナー（インナーウエアであるが、夏季にはそのまま単独でも着用できる。）と、これに重ね着してもインナーのホルダー（吊下保持具）を有効使用できるように構成されたジャケットに関する。
インナーとジャケットは、それぞれ独立して着用できるが、組み合せて着用することで、より有用である。
【背景技術】
【０００３】
渓流釣りは釣り竿、餌箱、タモ等多数の装備を身に付けて単独で渓流に入る釣り法であり、渓流釣り用のインナー、ジャケットにおいては、従来、様々な装備を所持、また釣り人の安全を守るための装備が多数施されてきた。
【０００４】
以下に、釣り用インナー、ジャケット、ベストの公知参考文献の一例を示す。
【特許文献Ａ】特開平２００６−２２６７「フローティングベスト」
【特許文献Ｂ】特開平２００１−３７３９１「釣り用ジャケットおよび竿支持体」
【特許文献Ｃ】特開平１０−１４０４０８「釣り服」
【特許文献Ｄ】実用新案登録第３０４６１３１号「釣り竿受ベルト」
【０００５】
上記公知参考文献は、釣り人と固定物を連結紐で連結し、釣り人の行動範囲を制限するもの、釣り時の竿を支持することが可能な竿支持体を持つジャケットに関するもの、多数の装備品を収納可能である釣り服に関するもの、釣り竿受けを持つベルトに関するものである。
【０００６】
従来製品における釣り製品やフィッシングウエアは、多数の装備用具を所持して渓流に入る釣り人が、いかに装備を容易に取り出せるか、また長時間における釣りの際に、一時的に竿を手に持たずとも保持しておける竿ホルダーを装備することや、釣り人の安全を守るための、木等の固定物と釣り人を連結し行動範囲を制限するものなどが開発されてきた。
【０００７】
これらにおいて、釣り竿やすくい網などは魚がヒットした際に手早く使用できる状態が好ましく、これらの装備形態も従来製品からの課題点であった。
【０００８】
特にタモ等のすくい網は、通常の釣り時には手には所持していないにも関わらず、魚を釣りあげ捕獲する際には必要不可欠なものであり、魚にヒットした直後に収納個所から素早く手に持って使用状態にできるものが望ましい。
【０００９】
そこでこのタモを背中にぶら下げておけるタモホルダーを装備したジャケットが開発された。
図６に示すジャケットの一部に示すように従来のジャケットは、その背中にタモを吊り下げることができるようにＤカン（８）を付設したタモホルダー（７）を露出して取り付けていた。
【００１０】
従来のタモホルダー（７）は釣り服ジャケットの背中部に露出して縫着連結され、これにタモ等と連結することで、タモは通常時は背中にぶら下がっている状態だが、魚がヒットした際には素早く前に回してタモを手に取り、魚をすくうことが可能である。
本考案はこの種の機能は同じにして、他の用具を吊るすために表面にホルダーを設けたジャケットの改良に関するものである。
用具等を吊るすことができ、かつ用具の重さでウエアが着崩れしないようなアウトドア用のウエアの開発を課題とする。
【考案の開示】
【考案が解決しようとする課題】
【００１１】
従来現場で、他の用具を吊るすために表面にホルダーを設けたジャケットを使用すると、実際にはそのホルダーに吊り下げる用具の重さや形態によって、使い勝手が異なり、次のような課題があった。
【００１２】
ａ；ジャケットにタモホルダーを装備したものは、タモが常にぶら下がっている状態であり、タモを吊るしたタモホルダーに背中部を引っ張られてしまい、衣服外見が乱れ、ジャケットがはだけて、首が締められている感じがしていた。
ｂ；特にジャケットは、寒い時期に着用するので、前側の首元が開いたり、牽引感があるものは、好まれなかった。
ｃ；さらに、ジャケットの一部を引っ張ることになるので、破れることもあり、耐久性に問題があり、吊るす用具も重さに限界があった。
【００１３】
本考案は、タモホルダーによってタモをぶら下げることができる構成を維持し、一方そのタモホルダーに吊り下げられる用具の荷重を、ウエアには及ぼさない構成として、上記課題を解決したものである。
【課題を解決するための手段】
【００１４】
本件考案は、タモを吊下げた状態でも外部ジャケットには牽引荷重を与えないようにする構成を具体的課題とした。
そこで、直接に荷重の係るホルダーは、別途インナー（ウエア  内着）を開発し、特別にしっかりしたそのインナーに付設して、インナーで荷重を受けて、ジャケット（外着）には牽引の影響がないように工夫した。
【００１５】
この結果、夏季はインナー自体にタモ等の用具を吊るして保持できることになり、一方寒期は、そのインナーにジャケットを重ね着して牽引を受けなく着こなしスタイルが崩れないようにできる。
【００１６】
上記課題を解決するために、本考案では、独特のインナーを開発し、又同時に組み合って有効活用ができる専用のジャケットを開発した。
ライフジャケット型のインナーと、専用の開口部を備えたこれに重ね着できる寸法で、インナーの機能を損ねない有用なジャケットを提案する。
【００１７】
上記２点の課題を解決するため、本考案においては以下の点を具体策とした。
（Ａ）インナーにホルダーを付設するものとし、そしてそのホルダーに用具を吊るしても一部分だけに荷重がかからないように、インナーは体に密着する軽量なライフジャケット型構造を持つこと。
つまり、ホルダーへの荷重は、腰ベルトや肩ベルトに分散されるようにすること。
（Ｂ）ジャケットは、ホルダーとは接続しないで、分離しており、インナーと重ね着し、インナーに接続したホルダーだけを外部に引き出して使用する構造とすること。
この構成により、ジャケットは、外部からの荷重を受けることはなく、着崩れや、前側の首部分が開いてはだけることもない。
【００１８】
ここに、本考案は、次の構成のインナーと、そのインナーの上に重ね着できるジャケットからなるインナー及びジャケットである。
（Ａ）；インナーはその表面に１以上のホルダーを設けた構成。
（Ｂ）；ジャケットは、インナーの前記ホルダーを外に引き出すための開閉自在なゲート（専用開口部）を設けた構成。
インナー及びジャケットは、それぞれ独立して着用でき、又、組み合せて重ね着すれば更に特有の効果がでる特徴がある。
簡略に説明すれば、表面に１以上のホルダーを設けた構成のインナーと、そのインナーの上に重ね着できるジャケットからなり、ジャケットには、インナーの前記ホルダーを外に引き出すための開閉自在なゲートを設けたので、ホルダーにかかる用具の荷重をジャケットに影響させないので、ジャケットの着崩れがおきないのである。
【００１９】
さて、タモホルダーにタモを吊り下げ時に発生する牽引感は、洋服の一点をつまんで引っ張る状態と同様である。
その時、洋服と身体との密着度が低いほど洋服のみが引っ張られ、不快感を発生させる。
この場合にライフジャケットのように肩と腰で締結固定できて、身体との密着度が高いインナーにのみ負荷がかかるようにしたので、引っ張ろうとする力は身体全体で受け止めることが可能であり、荷重は分散して重量感は弱くなり、不快感は低く、行動を阻害することも少なくなる。
【００２０】
このように、本考案においては、タモホルダーを外設したインナーと、ジャケットは重ね着をすることとして、そのタモホルダーを引き出す専用口をジャケットの適宜位置に適宜大きさで開口部として設けることで、インナーとジャケットの機能を両立させながら、タモ等の吊り下げ保持の負荷は、ジャケットには無関係にしたので、着崩れがなく格好良くジャケットを着こなすことができる。
なお、ジャケットにおいては、身体に対して余裕を持つ構造が通常であり、重ね着するといっても、特に縫製上の大きなデザイン変更があるものでもない。
【考案の効果】
【００２１】
本考案のインナー及びジャケットは、釣り用のウエアやその他のアウトドアウエアとして、或いは作業衣として、上記の構成により、次の技術的効果がある。
ａ；インナーとジャケットを着用し、ホルダーに物や用具を吊るしても、背中の一部が引っ張られる感じがなく、単にジャケットにホルダーを外設したものと異なり、ジャケットがはだけて外見が乱れることや前側の首元が開いたりすることもない。
ｂ；牽引感や、首が締められている感じがなくなる。
ｃ；吊り下げる用具の負荷は、すべてインナーで受けるので、ジャケットを破損するおそれがなく、耐久性に影響を及ぼさない。
ｄ；耐荷重のジャケット生地を選択する制約がないので、生地の選択幅が広がる。
ｅ；吊るす用具の重さの制約が少ない。
ｆ；ジャケットの開口部は、開閉自在な開口部であり、ホルダーを引き出した状態でも更にカバーが上からかかるので、雨水が侵入することなどを防止できる。
【考案を実施するための最良の形態】
【００２２】
次に本考案に係るインナー及びジャケットの実施例、実施形態について説明する。
図１から図８に示すものは、インナー及びジャケットの同じ実施例を示すものである。
図１から図３は、インナー（１）の各部を示し、図４はホルダーの延長具（１２）、図５はタモ（１１）を示し、図６から図８は、ジャケット（２）の各部を示すものである。
本実施例のインナー及びジャケットは、以下のインナー（１）と、そのインナー（１）の上に重ね着できるジャケット（２）からなる。
【実施例１】
【００２３】
図１は本考案における実施例のインナーの正面図である。
図２は本考案におけるインナーの背面図である。
図３は本考案に係るインナーを分解状態にした時の背面図である。
【００２４】
インナー（１）は、その表面に１以上のホルダー（７）を設けたものである。
実施例では、インナー（１）の背面に１つのホルダー（７）を設けている。
【００２５】
図に示すインナー（１）は、釣り用品を収納するポケット（９）を備えるバックルやベルベットファスナーで長さ調整自在な装着用の幅広の平ゴム入りの腰部ベルト（３）、ハードメッシュの背面部（６）、両肩に係る左右の前面ベルト部（５）と背面垂れ部（５１）を備えた肩当て部（７１）、左右の前面ベルト部（５）と腰部ベルト（３）を長さ調整自在に連結するヒモ（４）、前記背面垂れ部（５１）の左右下端と腰部ベルト（３）を長さ調整自在に連結するヒモ（４１）からなる。
インナー（１）は、図３の分解状態の背面図で示すように、肩当て部（７１）、とハードメッシュの背面部（６）とは別々に開発した別部品であり、各部位ごとに分解可能な構成である。
【００２６】
そして、ハードメッシュの背面部（６）の上部に、両肩にかかる左右の前面ベルト部（５）と背面垂れ部（５１）を備えた肩当て部（７１）を設けて、前面ベルト部（５）と背面垂れ部（５１）との夫々の下端を長さ調節可能なヒモ（４）で、幅広の平ゴム入りの腰部ベルト（３）に連結している。
ヒモ（４）により、腰部ベルト（３）と前面ベルト（５）を連結する構造で、中途にバックル等のヒモ通し（１０）の長さ調節具を設けてワンタッチで締め付けができる。
背面部（６）に付設した背面垂れ部（５１）の襟ぐり部には、先端にＤカン（８）を備えたヒモ（或いはテープ）からなるホルダー（７）を取り付けている。
【００２７】
前記ホルダー（７）は、Ｄカンやカラビナなどの連結機能があればよく、タモを掛けておくための保持具であるタモ保持用のタモホルダー（７）等であって、背面の襟ぐり部に取り付けたヒモとその先端のリングやＤカン（８）から構成されており、着脱自在なアタッチメント構造を持ったタモ（１１）又は長さ調節機構付きタモホルダー延長具（１２）等を連結可能である。
なお、ホルダー（７）は複数個縫着した実施も可能であり、また縫着位置も襟ぐり部に限定されるものではない。例えば、インナーの左右の脇の下にホルダー（７）を設け、ジャケット（２）の左右の側面部にゲート（１４）を設ける
インナー及びジャケットの組み合わせの実施もできる。
【００２８】
このように、インナー（１）は、肩当て部（７１）の背面垂れ部（５１）の襟ぐり部に先端にＤカン（８）を備えたテープからなるホルダー（７）を縫着した構成であり、全体をライフジャケット風の外観で、簡単に着用される。
ライフジャケットを着こむように装着し、腰部ベルト（３）構造で留めることでしっかり固定することが可能である。
【００２９】
インナー（１）は、ジャケット（２）とは別に単独で着用して使用することもでき、腰部ベルト（３）を締め、腰部ベルト（３）と前面ベルト部（５）と背面垂れ部（５１）とを接続するヒモ（４）の長さを調節して、しっかりと身体にフィットして着用できる。
素材は、前面の肩から胸下にかけての前面ベルト（５）と背面部（６）は、ハードメッシュ（硬質繊維でのメッシュ編み生地）から成り、通気性や放熱効果、非含水性、洗濯時の乾燥効率が高い性能の素材を採用している。
この素材は、あくまで一例であり、腰部ベルト（３）や前面ベルト（５）にフローティング素材を採用することにより、フローティングベストとして使用する実施も可能である。
背面垂れ部（５１）の襟ぐり部には、先端にＤカン（８）を備えたテープが縫着されたホルダー（７）が下がっている。
【００３０】
このホルダー（７）のＤカン（８）に、タモ（１１）の柄の後端のアタッチメント（１３）を掛けて吊るしておくことができる。
ホルダー（７）は、腰部ベルト（３）と４本のヒモ（４）でしっかり身体にフィットした背面垂れ部（５１）の襟ぐり部に固定されているので、タモ（１１）の荷重も両肩全体で支えるかたちになっている。
【００３１】
釣りがヒットして、タモ（１１）を使用するときは、手を後ろに回してタモ（１１）の柄を小脇にかかえ直して握り、その体勢で使用することができ、使用後は手を離せば、ホルダー（７）に従い後ろに回って背中側で保持される。
【００３２】
図６から図８は、ジャケット（２）を示すものであり、ジャケット（２）は、インナー（１）の前記ホルダー（７）を外に引き出すためのゲート（１４）を設けた構成が特徴である。
図６はジャケット（２）の背面図である。
雨天・防寒対応のフード（１５）を持ち、フード留め（１６）によってフード（１５）の深さを固定することが可能である。
【００３３】
図７は、ジャケット（２）の背中部に設けたタモゲート（１４）の部分説明図である。
ジャケット（２）には、インナー（１）のタモホルダー（７）を引き出すための開口部＝タモゲート（１８）を背面部に設けている。
なお図６に示すように、従来同様、軽量なタモ等の軽量用具の吊り下げを想定して、背面上部にジャケットの表面に縫着外設したタモホルダー（７）を設けている。
【００３４】
タモゲート（１４）は、スライドファスナー（１７）を備えた開口部であり、ジャケット生地を上方に縫い付けたカバー（１９）を備えている。
インナー（１）に装着されたタモホルダー（７）を使用したいときは、カバー（１９）を上側に開き内部のファスナー（１７）を開いて開口し、そこに予めタモゲート（１４）貫通してタモホルダー（７）を引き出して使用できる状態にしておく。
使用中に雨や清流の飛沫が降ってもカバー（１９）があるため、ジャケット（２）の内部には浸水しない構造である。
不使用時は、スライドファスナーを閉じて開口部を閉塞し、カバー（１９）で覆って（ジャケット生地を２枚重ねた状態）閉じてしまう。
【００３５】
カバー（１９）となるジャケット生地は、面ファスナーであるタモゲート留め（１８）で周辺左右を留める機構により、タモゲート（１４）を完全に隠すことができ、デザイン的にも面白いラインが表現できる。
タモゲート留め（１８）は、面ファスナーに限らず、ホックタイプの留め具やスライドファスナーでも差し支えない。
【００３６】
ジャケット（２）のゲート（１４）は、前記インナー（１）の前記ホルダー（７）を外に引き出す位置で、開閉自在なスライドファスナーを設けた開口部である。
ジャケット（２）は、インナー（１）の上に重ね着できるもので、フード（１５）を備え、背面の襟ぐり部の下方にインナー（１）に縫着されたホルダー（７）のＤカン（８）を引き出すゲート（１４）を備えており、さらにゲート（１４）の上方にはカバー（１９）を設けて被覆している。
【００３７】
図４は実施例に示す前記タモホルダー（７）とタモ（１１）を接続する際の補助具となるタモホルダー延長具（１２）を示す斜視図である。
図５は渓流釣りで使用される一般的なタモ（１１）を示す斜視図である。
タモホルダー延長具（１２）は、バックル構造を持つことで長さ調節が可能であり、連結するタモ（１１）の長さや用途により使用長さや形態を変更できる。
使用する際には、インナー（１）のホルダー（７）のＤカン（８）にアタッチメント（１３）を繋ぎ、タモ（１１）のアタッチメント（１３）をタモホルダー延長具（１２）のＤカン（８）に繋ぐことで、所望の長さや位置にタモ（１１）を保持する構造である。
【００３８】
またもとより、タモホルダー延長具（１２）を使用せず、タモホルダー（７）に直接タモ（１１）を繋いで使用することも可能である。
タモホルダー延長具（１２）は、選択的に使用できる。
【００３９】
図８は、上記のタモゲート（１４）からインナー（１）のタモホルダー（７）を引き出し、タモホルダー延長具（１２）のアタッチメント（１３）をＤカン（８）に連結した実際の使用状態を示した斜視図である。
【００４０】
カバー（１９）を上げてタモゲート留め（１８）を外し、ファスナー（１７）を開いた状態にしてタモゲート（１４）を開き、中からタモホルダー（７）を引き出し、外部においてタモホルダー延長具（１２）もしくはタモ（１１）と連結させて、使用する。
【産業上の利用可能性】
【００４１】
本考案は、釣りを想定した釣り用のインナー及びジャケットである。
その機能は、インナーに直結するホルダー（７）を、重ね着のジャケットを貫通させて利用するものであるので、被服の外に体にしっかり固定したアンカーを露出させたもので、様々な用具の吊り下げに応用できるものであり、各種アウトドアウエア、ワークウエア、に利用可能である。
【図面の簡単な説明】
【００４２】
【図１】本考案に係るインナー及びジャケットの一実施例を示すインナーの正面図。
【図２】同じくインナーの背面図。
【図３】同じくインナーの分解正面図。
【図４】本考案に使用するタモホルダー延長具（１２）の斜視図。
【図５】本考案に使用するタモ（１１）の斜視図。
【図６】本考案に係るインナー及びジャケットの一実施例を示すジャケットの背面図。
【図７】ジャケット（２）に設けたタモゲート（１４）の部分説明図。
【図８】本考案に係るインナー及びジャケットのタモホルダー使用時のジャケットの背面図。
【符号の説明】
【００４３】
（１）  インナー
（２）  ジャケット
（３）  腰部ベルト
（４）  ヒモ（テープ）
（４１）ヒモ（テープ）
（５）  前面ベルト部
（５１）背面垂れ部
（６）  背面部
（７）  ホルダー（タモホルダー）
（７１）肩当て部
（８）  Ｄカン
（９）  ポケット
（１０）ヒモ通し
（１１）タモ（網）
（１２）タモホルダー延長具
（１３）アタッチメント
（１４）ゲート（タモゲート）
（１５）フード
（１６）フード留め
（１７）ファスナー（スライドファスナー）
（１８）タモゲート留め（面ファスナー）
（１９）カバー
【図１】
0003140523.tif 000003
【図２】
0003140523.tif 000004
【図３】
0003140523.tif 000005
【図４】
0003140523.tif 000006
【図５】
0003140523.tif 000007
【図６】
0003140523.tif 000008
【図７】
0003140523.tif 000009
【図８】
0003140523.tif 000010